(57)【特許請求の範囲】
【請求項１】
ログインＩＤによりユーザ認証可能なタスク管理装置であって、
それぞれに所定の日付情報または時間帯情報が対応付けられた複数のスケジュール枠が設けられたスケジュールテンプレートを第１表示領域に表示させるとともに、互いに異なるタスク種別を示すとともに互いに異なるメッセージ情報であって他のユーザに向けたメッセージ情報が対応付けられた複数のスタンプマークを前記第１表示領域に隣接した第２表示領域に表示させる表示制御手段と、
前記表示制御手段により前記第２表示領域に表示されている前記複数のスタンプマークからユーザ操作に応じて所定のスタンプマークを選択する第１の選択手段と、
前記第１の選択手段により選択されたスタンプマークが配置されるスケジュール枠をユーザ操作に応じて前記複数のスケジュール枠から選択する第２の選択手段と、
を備え、
前記表示制御手段は、前記第２の選択手段により選択されたスケジュール枠に前記第１の選択手段により選択されたスタンプマークが配置された前記スケジュールテンプレートを表示させ、
前記メッセージ情報は、当該メッセージ情報が前記他のユーザにより参照されたときの当該メッセージ情報に対する返信情報が予め対応付けられていることを特徴とするタスク管理装置。
【請求項２】
前記表示制御手段は、スタンプマークの使用履歴情報に基づいて使用実績が現在日時に近いスタンプマークを予め定めた数だけ前記第２表示領域に表示させることを特徴とする請求項１に記載のタスク管理装置。
【請求項３】
前記表示制御手段は、前記第２の選択手段により選択されたスケジュール枠に前記第１の選択手段により選択されたスタンプマークを配置する際は、当該スタンプマークの表示サイズを縮小して配置することを特徴とする請求項１または２に記載のタスク管理装置。
【請求項４】
前記表示制御手段は、前記第２表示領域が横長な表示領域となるように、縦長画面内の上部領域を前記第１表示領域に設定するとともに前記縦長画面内の下部領域を前記第２表示領域に設定することを特徴とする請求項１から３の何れか一項に記載のタスク管理装置。
【請求項５】
前記第１の選択手段により選択されたスタンプマークの識別情報と前記第２の選択手段により選択されたスケジュール枠とをタスクの識別情報に対応付けたタスク登録情報を記憶手段に記憶する登録手段を備えることを特徴とする請求項１から４の何れか一項に記載のタスク管理装置。
【請求項６】
前記表示制御手段により表示されている前記スケジュールテンプレートにおける前記複数のスケジュール枠のうち現在の日付または時間帯に対応するスケジュール枠に前記スタンプマークが配置されて表示されていた場合に、該スタンプマークに対応するメッセージ情報をユーザ操作に応じて表示させる第２の表示制御手段を備え、
前記第２の表示制御手段は、前記メッセージ情報を表示させる際のユーザ操作が前記他のユーザによるユーザ操作であった場合には、前記返信情報を送信するための送信ボタンを前記メッセージ情報とともに表示させることを特徴とする請求項１から５の何れか一項に記載のタスク管理装置。
【請求項７】
ログインＩＤによりユーザ認証可能なタスク管理装置におけるコンピュータを、
それぞれに所定の日付情報または時間帯情報が対応付けられた複数のスケジュール枠が設けられたスケジュールテンプレートを第１表示領域に表示させるとともに、互いに異なるタスク種別を示すとともに互いに異なるメッセージ情報であって他のユーザに向けたメッセージ情報が対応付けられた複数のスタンプマークを前記第１表示領域に隣接した第２表示領域に表示させる表示制御手段、
前記表示制御手段により前記第２表示領域に表示されている前記複数のスタンプマークからユーザ操作に応じて所定のスタンプマークを選択する第１の選択手段、
前記第１の選択手段により選択されたスタンプマークが配置されるスケジュール枠をユーザ操作に応じて前記複数のスケジュール枠から選択する第２の選択手段、
として機能させ、
前記表示制御手段は、前記第２の選択手段により選択されたスケジュール枠に前記第１の選択手段により選択されたスタンプマークが配置された前記スケジュールテンプレートを表示させ、
前記メッセージ情報は、当該メッセージ情報が前記他のユーザにより参照されたときの当該メッセージ情報に対する返信情報が予め対応付けられていることを特徴とするプログラム。
【発明の詳細な説明】
【技術分野】
【０００１】
本発明は、タスク管理装置及びプログラムに関する。
【背景技術】
【０００２】
従来、ユーザが実施するべきタスクを管理するＴｏＤｏ管理装置が知られている。
【０００３】
また、家族内の複数ユーザで共用される情報処理装置であって、装置起動時に任意のユーザにより入力された伝言を表示し、次いでカレンダー上のスケジュールを表示する情報処理装置が知られている（特許文献１参照）。
【先行技術文献】
【特許文献】
【０００４】
【特許文献１】特開平９−１２０４１８号公報
【発明の概要】
【発明が解決しようとする課題】
【０００５】
しかし、上記従来の情報処理装置において、スケジュールとしてタスクを表示させる場合に、カレンダー上のスケジュールを文字入力により予め登録する必要があるが、カレンダーの日付毎のスケジュール領域に入るように、ユーザ自身が文字列のスケジュールを考えて入力せねばならず、作業負担が大きかった。また、文字列でのスケジュール表示は、多くのスケジュールが登録された場合に表示が煩雑になり、短時間での認識が難しくなるおそれがあった。
【０００６】
本発明の課題は、実施するべきタスクの内容とそのタスクの実施期限を容易に入力及び把握できるようにするとともに、実施期限までにタスクが確実に実施されるよう支援することである。
【課題を解決するための手段】
【０００７】
上記課題を解決するために、本発明に係るタスク管理装置は、ログインＩＤによりユーザ認証可能なタスク管理装置であって、それぞれに所定の日付情報または時間帯情報が対応付けられた複数のスケジュール枠が設けられたスケジュールテンプレートを第１表示領域に表示させるとともに、互いに異なるタスク種別を示すとともに互いに異なるメッセージ情報であって他のユーザに向けたメッセージ情報が対応付けられた複数のスタンプマークを前記第１表示領域に隣接した第２表示領域に表示させる表示制御手段と、前記表示制御手段により前記第２表示領域に表示されている前記複数のスタンプマークからユーザ操作に応じて所定のスタンプマークを選択する第１の選択手段と、前記第１の選択手段により選択されたスタンプマークが配置されるスケジュール枠をユーザ操作に応じて前記複数のスケジュール枠から選択する第２の選択手段と、を備え、前記表示制御手段は、前記第２の選択手段により選択されたスケジュール枠に前記第１の選択手段により選択されたスタンプマークが配置された前記スケジュールテンプレートを表示させ、前記メッセージ情報は、当該メッセージ情報が前記他のユーザにより参照されたときの当該メッセージ情報に対する返信情報が予め対応付けられていることを特徴とする。
【０００８】
また、本発明に係るプログラムは、ログインＩＤによりユーザ認証可能なタスク管理装置におけるコンピュータを、それぞれに所定の日付情報または時間帯情報が対応付けられた複数のスケジュール枠が設けられたスケジュールテンプレートを第１表示領域に表示させるとともに、互いに異なるタスク種別を示すとともに互いに異なるメッセージ情報であって他のユーザに向けたメッセージ情報が対応付けられた複数のスタンプマークを前記第１表示領域に隣接した第２表示領域に表示させる表示制御手段、前記表示制御手段により前記第２表示領域に表示されている前記複数のスタンプマークからユーザ操作に応じて所定のスタンプマークを選択する第１の選択手段、前記第１の選択手段により選択されたスタンプマークが配置されるスケジュール枠をユーザ操作に応じて前記複数のスケジュール枠から選択する第２の選択手段、として機能させ、前記表示制御手段は、前記第２の選択手段により選択されたスケジュール枠に前記第１の選択手段により選択されたスタンプマークが配置された前記スケジュールテンプレートを表示させ、前記メッセージ情報は、当該メッセージ情報が前記他のユーザにより参照されたときの当該メッセージ情報に対する返信情報が予め対応付けられていることを特徴とする。
【発明の効果】
【０００９】
本発明によれば、実施するべきタスクの内容とそのタスクの実施期限を容易に入力及び把握できるとともに、実施期限までにタスクが確実に実施されるよう支援できる。
【図面の簡単な説明】
【００１０】
【図１】本発明の実施の形態のタスク管理システムを示すブロック図である。
【図２】サーバの機能構成を示すブロック図である。
【図３】端末装置の機能構成を示すブロック図である。
【図４】スタンプデータテーブルの構成を示す図である。
【図５】（ａ）は、アカウントデータテーブルの構成を示す図である。（ｂ）は、タスクデータテーブルの構成を示す図である。
【図６】情報表示入力処理を示すフローチャートである。
【図７】業務連絡処理を示すフローチャートである。
【図８】（ａ）は、第１の業務連絡画面を示す図である。（ｂ）は、第２の業務連絡画面を示す図である。（ｃ）は、第３の業務連絡画面を示す図である。
【図９】（ａ）は、第４の業務連絡画面を示す図である。（ｂ）は、第５の業務連絡画面を示す図である。
【図１０】第６の業務連絡画面を示す図である。
【発明を実施するための形態】
【００１１】
以下、添付図面を参照して本発明に係る実施の形態を詳細に説明する。なお、本発明は、図示例に限定されるものではない。
【００１２】
図１〜図３を参照して、本実施の形態の装置構成を説明する。先ず、図１を参照して、本実施の形態のタスク管理システム１を説明する。図１は、本実施の形態のタスク管理システム１を示すブロック図である。
【００１３】
タスク管理システム１は、サーバ１０と、表示手段としての複数の端末装置２０と、を備える。本実施の形態では、タスク管理システム１が、一例として、個人経営のレストランで働く複数の従業員（オーナー、店長、アルバイト等）で共用されるシステムであるものとするが、これに限定されるものではない。
【００１４】
サーバ１０は、通信ネットワークＮに接続されたサーバであり、端末装置２０のユーザが実施するべきタスク（ＴｏＤｏタスク）に関する情報を管理する。通信ネットワークＮは、インターネットであるものとするが、ＬＡＮ（Local Area Network）等、他のネットワークとしてもよい。
【００１５】
端末装置２０は、レストランの各従業員としてのユーザがそれぞれ所持する携帯端末装置である。ここでは、端末装置２０がスマートフォンであるものとして説明するが、これに限定されるものではなく、端末装置２０が、タブレットＰＣ（Personal Computer）、携帯電話機、ＰＤＡ（Personal Digital Assistant）、ノートＰＣ等、他の携帯端末装置や、デスクトップＰＣ等の端末装置であるものとしてもよい。また、端末装置２０は、ユーザの操作等の入力を受け付けてサーバ１０に送信し、サーバ１０から受信した情報を表示する。また、端末装置２０は、通信ネットワークＮ上の基地局、アクセスポイント（いずれも図示略）等を介して、通信ネットワークＮに接続されている。
【００１６】
なお、タスク管理システム１は、複数台の端末装置２０のユーザのタスクに関する情報をサーバ１０が管理する構成とするが、これに限定されるものではない。タスク管理システム１は、１人の個人ユーザが所持する１台の端末装置２０を備える構成としたり、１台の端末装置２０を複数のユーザが共用する構成としてもよい。
【００１７】
次いで、図２を参照して、サーバ１０の内部の機能構成を説明する。図２は、サーバ１０の機能構成を示すブロック図である。
【００１８】
図２に示すように、サーバ１０は、表示制御手段、登録手段、第１の表示制御手段、第２の表示制御手段、完了設定手段としてのＣＰＵ（Central Processing Unit）１１と、操作部１２と、ＲＡＭ（Random Access Memory）１３と、表示部１４と、記憶手段としての記憶部１５と、第１の選択手段、第２の選択手段、第１の入力手段、第２の入力手段としての通信部１６と、計時部１７と、を備える。サーバ１０の各部は、バス１８を介して接続されている。
【００１９】
ＣＰＵ１１は、サーバ１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００２０】
操作部１２は、キーボード等のキー入力部と、マウス等のポインティングデバイスとを有し、キー入力及び位置入力を受け付け、その操作情報をＣＰＵ１１に出力する。
【００２１】
ＲＡＭ１３は、揮発性のメモリであり、各種のデータやプログラムを一時的に格納するワークエリアを形成する。表示部１４は、ＬＣＤ（Liquid Crystal Display）、ＥＬ（ElectroLuminescent）ディスプレイ等で構成され、ＣＰＵ１１から指示された表示情報に従い各種表示を行う。
【００２２】
記憶部１５は、ＨＤＤ（Hard Disk Drive）、ＳＳＤ（Solid State Drive）等により構成され、データ及びプログラムを書き込み及び読み出し可能な記憶部である。特に、記憶部１５は、業務連絡プログラム１５１と、後述するスタンプデータテーブル３０、アカウントデータテーブル４０、タスクデータテーブル５０と、を記憶している。
【００２３】
通信部１６は、ネットワークカード等により構成され、通信ネットワークＮに通信接続されて、通信ネットワークＮ上の機器との通信を行う。ＣＰＵ１１は、通信部１６を介して、通信ネットワークＮ上の端末装置２０と通信が可能である。
【００２４】
計時部１７は、リアルタイムクロックであり、現在日時を計時し、計時した現在日時情報をＣＰＵ１１に出力する。
【００２５】
次いで、図３を参照して、端末装置２０の機能構成を説明する。図３は、端末装置２０の機能構成を示すブロック図である。
【００２６】
端末装置２０は、ＣＰＵ２１と、操作部２２と、ＲＡＭ２３と、表示部２４と、記憶部２５と、無線通信部２６と、音声入出力部２７と、を備える。端末装置２０の各部は、バス２８を介して接続されている。
【００２７】
ＣＰＵ２１、ＲＡＭ２３、表示部２４は、サーバ１０のＣＰＵ１１、ＲＡＭ１３、表示部１４と同様であるため、重複する説明を省略し、異なる部分を主として説明する。
【００２８】
ＣＰＵ２１は、端末装置２０の各部を制御する。操作部２２は、表示部２４の表示画面上に設けられたタッチパネルを有し、ユーザからのタッチ入力を受け付け、その操作情報をＣＰＵ２１に出力する。
【００２９】
記憶部２５は、フラッシュメモリ、ＥＥＰＲＯＭ（Electrically Erasable Programmable ROM）等により構成され、データ及びプログラムを書き込み及び読み出し可能な記憶部である。特に、記憶部２５には、情報表示入力プログラム２５１が記憶されている。
【００３０】
無線通信部２６は、アンテナ、変復調回路、信号処理回路等により構成され、通信ネットワークＮ上の基地局、アクセスポイント等と無線電波により情報の送受信を行う。このため、ＣＰＵ２１は、無線通信部２６により、通信ネットワークＮ上の基地局、アクセスポイント等を介して、サーバ１０と通信を行うことができる。
【００３１】
音声入出力部２７は、マイク、ＡＤコンバーター等の音声入力部と、ＤＡコンバーター、アンプ、スピーカー等の音声出力部と、で構成される。音声入出力部２７は、音声入力時に、マイクからユーザの音声の入力を受け付け、音声入力信号をデジタルの音声入力情報に変換してＣＰＵ２１に出力し、音声出力時に、音声出力信号をアナログの音声出力信号に変換してスピーカーから音声出力する。なお、スマートフォンとしての端末装置２０において、測位部等の他の構成部は図示及び説明を省略している。
【００３２】
次に、図４、図５を参照して、サーバ１０の記憶部１５に記憶されるスタンプデータテーブル３０、アカウントデータテーブル４０、タスクデータテーブル５０を説明する。図４は、スタンプデータテーブル３０の構成を示す図である。図５（ａ）は、アカウントデータテーブル４０の構成を示す図である。図５（ｂ）は、タスクデータテーブル５０の構成を示す図である。
【００３３】
スタンプデータテーブル３０は、カレンダーに表示するスタンプマークとしてのスタンプを定義するデータテーブルである。図４（ａ）に示すように、スタンプデータテーブル３０は、スタンプ番号３１、表示３２、スタンプイメージ３３、タスク内容３４、メッセージ３５、表示色３６の項目（フィールド）を有する。
【００３４】
スタンプ番号３１は、タスクの種別毎に設定されたスタンプの識別情報である。表示３２は、スタンプ番号３１のスタンプの文字部分の情報である。スタンプイメージ３３は、スタンプ番号３１のスタンプの表示イメージデータである。スタンプイメージ３３は、円の内部に表示３２の１つの文字を有する囲い文字の態様とするが、これに限定されるものではない。例えば、スタンプイメージ３３は、矩形等他の形状と文字とを組み合わせた他の態様のスタンプイメージとしてもよい。タスク内容３４は、スタンプ番号３１のスタンプに対応するタスクの予め設定された内容の情報である。メッセージ３５は、スタンプ番号３１のスタンプに対応するタスクの予め設定されたメッセージの情報である。「××さん」とは、「××」にタスクの登録者の名称が入る。
【００３５】
表示色３６は、スタンプ番号３１のスタンプの予め設定された基本の表示色の情報である。スタンプデータテーブル３０の各情報は、例えば、端末装置２０の操作部２２を介する管理者等のユーザからの操作入力に応じて、サーバ１０のＣＰＵ１１により予め設定される。
【００３６】
アカウントデータテーブル４０は、レストランの従業員（端末装置２０のユーザ）のアカウント情報を有するテーブルである。図５（ａ）に示すように、アカウントデータテーブル４０は、従業員番号４１、氏名４２、役職４３、役割４４、パスワード４５、重要度４６の項目を有する。
【００３７】
従業員番号４１は、レストランの従業員の識別情報であり、本実施の形態では、ログインＩＤとしても機能するものとする。氏名４２は、従業員番号４１の従業員の氏名の情報である。役職４３は、従業員番号４１の従業員の役職の情報である。役割４４は、従業員番号４１の従業員の業務上の役割の情報である。パスワード４５は、従業員番号４１の従業員のパスワードの情報である。重要度４６は、従業員番号４１の従業員が登録するスタンプのタスクの予め設定された重要度の情報であり、役職４３に対応する情報である。
【００３８】
タスクデータテーブル５０は、登録されたタスクに関する情報を有するテーブルである。タスクデータテーブル５０は、タスク番号５１、個別／業務５２、登録者５３、重要度５４、登録日時５５、期限５６、完了／未完了５７、実施者５８、タスク完了日５９、メッセージ６０、業務の関連付け６１、添付ファイル６２、登録者以外表示６３、スタンプ番号６４の項目を有する。
【００３９】
タスク番号５１は、登録されたタスクの識別情報である。個別／業務５２は、タスク番号５１のタスクが、個人から登録されたＴｏＤｏタスクである個別ＴｏＤｏ、又は外部の業務支援サーバ（図示略）等で提供される会計サービス、給料サービス等の業務支援サービスで登録されたＴｏＤｏタスクである業務ＴｏＤｏであるかを示す情報である。本実施の形態では、個別／業務５２は、全て個別ＴｏＤｏになるものとする。
【００４０】
登録者５３は、タスク番号５１のタスクを登録した従業員である登録者の名称である。重要度５４は、タスク番号５１のタスクの実施の重要度（優先度）の情報であり、アカウントデータテーブル４０の登録者の重要度４６に基づく。登録日時５５は、タスク番号５１のタスクの登録日時の情報である。期限５６は、タスク番号５１のタスクの実施の完了の期限の情報である。完了／未完了５７は、タスク番号５１のタスクの実施の完了又は未完了の状態の情報である。実施者５８は、タスク番号５１のタスクを実施した従業員である実施者の名称である。タスク完了日５９は、タスク番号５１のタスクが完了された日付情報である。
【００４１】
メッセージ６０は、タスク番号５１のタスクに対応付けて表示されるメッセージの情報であり、タスクの内容を示す。業務の関連付け６１は、タスク番号５１のタスクに関連付けられている業務支援サービスのアプリケーションプログラムの名称である。本実施の形態においては、業務の関連付け６１は、全て、無しであるものとする。
【００４２】
添付ファイル６２は、タスク番号５１のタスクに対応付けて入力されたテキスト又は音声の添付ファイルの名称である。登録者以外表示６３は、タスク番号５１のタスクを登録者以外の従業員に通知のため表示するか否かを示す情報である。登録者以外表示６３が有だと、レストランの従業員のうち、登録者を含む全ての従業員に対してタスクを表示する。登録者以外表示６３が無しだと、レストランの従業員のうち、登録者のみに対してタスクを表示する。スタンプ番号６４は、タスク番号５１のタスクに対応するスタンプの識別情報である。
【００４３】
次に、図６〜図９を参照して、タスク管理システム１の動作を説明する。図６は、情報表示入力処理を示すフローチャートである。図７は、業務連絡処理を示すフローチャートである。図８（ａ）は、業務連絡画面３００Ａを示す図である。図８（ｂ）は、業務連絡画面３００Ｂを示す図である。図８（ｃ）は、業務連絡画面３００Ｃを示す図である。図９（ａ）は、業務連絡画面３００Ｄを示す図である。図９（ｂ）は、業務連絡画面３００Ｅを示す図である。
【００４４】
先ず、図６を参照して、端末装置２０で実行される情報表示入力処理を説明する。情報表示入力処理は、業務連絡処理に関する表示情報の表示と情報の入力受付を行う処理である。端末装置２０において、操作部２２を介して、ユーザから情報表示入力処理の実行指示が入力されたことをトリガとして、ＣＰＵ２１は、記憶部２５から読み出して適宜ＲＡＭ２３に展開した情報表示入力プログラム２５１との協働で、情報表示入力処理を実行する。
【００４５】
先ず、ＣＰＵ２１は、操作部２２を介して、情報表示入力処理の終了指示が入力されたか否かを判別する（ステップＳ１１）。終了指示が入力された場合（ステップＳ１１；ＹＥＳ）、ＣＰＵ２１は、情報表示入力処理を終了する。終了指示が入力されていない場合（ステップＳ１１；ＮＯ）、ＣＰＵ２１は、無線通信部２６を介して、サーバ１０から表示情報を受信したか否か判別する（ステップＳ１２）。
【００４６】
表示情報を受信した場合（ステップＳ１２；ＹＥＳ）、ＣＰＵ２１は、ステップＳ１２で受信した表示情報を表示部２４に表示する（ステップＳ１３）。そして、ＣＰＵ２１は、操作部２２を介する終了指示以外の操作入力、又は音声入出力部２７を介する音声入力による情報入力がされたか否かを判別する（ステップＳ１４）。表示情報を受信していない場合（ステップＳ１２；ＮＯ）、ステップＳ１４に移行される。
【００４７】
情報入力された場合（ステップＳ１４；ＹＥＳ）、ＣＰＵ２１は、無線通信部２６を介して、ステップＳ１４で入力された入力情報（操作情報、テキスト情報、音声情報等）をサーバ１０に送信し（ステップＳ１５）、ステップＳ１１に移行する。情報入力されていない場合（ステップＳ１４；ＮＯ）、ステップＳ１１に移行される。
【００４８】
次いで、図７〜図９を参照して、サーバ１０で実行される業務連絡処理を説明する。業務連絡処理は、レストランの従業員が自分又は他の従業員用の業務のタスクをスタンプにより登録し、登録されたスタンプのタスクをカレンダー情報上に表示することで業務連絡を行う処理である。このカレンダー情報は、それぞれに所定の日付情報または時間帯情報が対応付けられた複数のスケジュール枠が設けられたスケジュールテンプレートであり、本実施の形態では、日付をスケジュール枠として、複数の日付を経時的に並べて一覧表示したものとする。
【００４９】
ある従業員の端末装置２０において、図６の情報表示入力処理のステップＳ１４に対応して、業務連絡処理の実行指示が入力され、ステップＳ１５で業務連絡処理の実行指示がサーバ１０に送信される。そして、サーバ１０において、図６のステップＳ１５に対応して、通信部１６を介して、業務連絡処理の実行指示を端末装置２０から受信したことをトリガとして、ＣＰＵ１１は、記憶部１５から読み出して適宜ＲＡＭ１３に展開した業務連絡プログラム１５１との協働で、業務連絡処理を実行する。
【００５０】
先ず、ＣＰＵ１１は、ログイン画面情報を生成し、図６の情報表示入力処理のステップＳ１２，Ｓ１５に対応して、通信部１６を介して、生成したログイン画面情報を通信先の端末装置２０に送信して表示させ、ログインＩＤとしての従業員番号及びパスワードを通信先の端末装置２０から受信し、アカウントデータテーブル４０を記憶部１５から読み出し、受信した従業員番号及びパスワードとアカウントデータテーブル４０とを用いてログイン認証を行う（ステップＳ２１）。ログイン画面情報は、ログインＩＤ及びパスワードの入力領域を有する。
【００５１】
ステップＳ２１に対応して、端末装置２０のＣＰＵ２１は、図６のステップＳ１２，Ｓ１３で、ログイン画面情報の受信及び表示を行い、図６のステップＳ１４，Ｓ１５で、操作部２２を介するログインＩＤとしての従業員番号及びパスワードの入力、その入力情報のサーバ１０への送信を行う。ＣＰＵ１１は、受信された従業員番号及びパスワードがアカウントデータテーブル４０の従業員番号４１及びパスワード４５のレコードにあるかに応じてログイン認証を行う。
【００５２】
そして、ＣＰＵ１１は、計時部１７から現在日時情報を取得し、スタンプデータテーブル３０、タスクデータテーブル５０を記憶部１５から読み出し、現在日時情報、スタンプデータテーブル３０、アカウントデータテーブル４０、タスクデータテーブル５０を用いて、ステップＳ１１で認証されたユーザに対応する業務連絡画面情報を生成し、図６のステップＳ１２に対応して、通信部１６を介して、生成した業務連絡画面情報を通信先の端末装置２０に送信し表示させる（ステップＳ２２）。
【００５３】
ステップＳ２２において、ＣＰＵ１１は、現在時刻情報に対応する当月のカレンダー情報を用意し、タスクデータテーブル５０の期限５６が当月であり、登録者以外表示６３が有、又は無しで且つ登録者５３がログインユーザであるタスクのレコードについて、スタンプ番号６４のスタンプのスタンプイメージ３３をカレンダー情報の期限５６の日付上に配置する。ＣＰＵ１１は、当該スタンプを配置したカレンダー情報の表示領域と、ログインした従業員の氏名４２の表示領域と、スタンプの登録用のスタンプボタン選択領域と、後述するＴｏＤｏボタンと、を含む業務連絡画面情報を生成する。カレンダー情報上のスタンプの色は、表示色３６の表示色に設定されるものとするが、完了／未完了５７が完了か未完了であるかと、登録者５３がログインユーザであるか否かと、に応じて表示色が互いに別に設定されるのが好ましい。また、カレンダー情報上の同じ日付の複数のスタンプは、重要度５４の高いものから降順に並べて配置される。また、業務連絡画面情報は、スタンプボタン入力領域のスタンプボタン入力でそのスタンプ番号が指定できるものとする。
【００５４】
ステップＳ２２に対応して、端末装置２０のＣＰＵ２１は、図６のステップＳ１２，Ｓ１３で、業務連絡画面情報の受信及び表示を行う。ステップＳ２２では、例えば、図８（ａ）に示す業務連絡画面３００Ａを示す業務連絡画面情報が生成される。業務連絡画面３００Ａは、図５（ｂ）のタスクデータテーブル５０のタスク番号５１が１，２のみのタスクが登録されている状態に対応する画面である。
【００５５】
業務連絡画面３００Ａは、ログインユーザ表示領域３１０と、ＴｏＤｏボタン３２０と、カレンダー表示領域３３０と、スタンプボタン選択領域３４０と、を有する。ログインユーザ表示領域３１０は、ログインユーザの表示領域である。業務連絡画面３００Ａは、ログインユーザ表示領域３１０のログインユーザが店長の山田次郎である例とする。ＴｏＤｏボタン３２０は、ログイン当日の期限のタスクを一覧表示させる入力を受け付けるボタンである。
【００５６】
カレンダー表示領域３３０は、ログイン当月のカレンダー上に各日付が期限のタスクのスタンプを配置したカレンダー情報の表示領域である。カレンダー表示領域３３０には、例えば、ミーティングのタスクのスタンプ３３１と、発注のタスクのスタンプ３３２と、を含む。カレンダー表示領域３３０のスタンプは、ユーザによるタッチ入力が可能である。
【００５７】
スタンプボタン選択領域３４０は、スタンプ登録時の選択用のスタンプボタンを有する表示領域である。スタンプボタン選択領域３４０には、例えば、発注、予定、イベントのタスクのスタンプボタン３４１，３４２，３４３と、他表示ボタン３４４と、を有する。スタンプボタン３４１，３４２，３４３は、スタンプボタン使用の履歴情報（図示略）に基づき、左から右に、過去に使用されたスタンプボタンが現在日時から近い順に配置されている。他表示ボタン３４４は、スタンプボタン３４１，３４２，３４３以外の他のスタンプボタンを表示させるためのタッチ入力を受け付けるボタンであり、例えば、そのタッチ入力により他のスタンプボタンの一覧情報を表示させる。
【００５８】
そして、ステップＳ２２に対応して、端末装置２０のＣＰＵ２１は、図６のステップＳ１４，Ｓ１５で、操作部２２を介するＴｏＤｏボタン３２０、カレンダー表示領域３３０のスタンプ又はスタンプボタン選択領域３４０のスタンプボタンの入力を受け付け、サーバ１０へ入力情報の送信を行う。
【００５９】
そして、ＣＰＵ１１は、図６のステップＳ１５に対応して、通信部１６を介して、ＴｏＤｏボタン３２０のタッチ入力情報を通信先の端末装置２０から受信したか否かに応じて、ＴｏＤｏボタン３２０が入力されたか否かを判別する（ステップＳ２３）。ＴｏＤｏボタン３２０が入力されていない場合（ステップＳ２３；ＮＯ）、ＣＰＵ１１は、図６のステップＳ１５に対応して、通信部１６を介して、カレンダー表示領域３３０のスタンプのタッチ入力情報を通信先の端末装置２０から受信したか否かに応じて、カレンダー表示領域３３０のスタンプが入力されたか否かを判別する（ステップＳ２４）。
【００６０】
スタンプが入力された場合（ステップＳ２４；ＹＥＳ）、ＣＰＵ１１は、記憶部１５に記憶されたタスクデータテーブル５０、メモ情報に基づいて、入力されたスタンプのタスクに対応するタスク詳細情報を生成し、タスク詳細情報を通信先の端末装置２０に送信して表示させ（ステップＳ２５）、ステップＳ２２に移行する。タスク詳細情報は、例えば、入力されたスタンプのタスクのメッセージ６０、メモ情報、完了／未完了５７、登録日時５５が含まれる。ステップＳ２５に対応して、端末装置２０のＣＰＵ２１は、図６のステップＳ１２，Ｓ１３で、タスク詳細情報の受信及び表示を行う。
【００６１】
スタンプが入力されていない場合（ステップＳ２４；ＮＯ）、ＣＰＵ１１は、図６の情報表示入力処理のステップＳ１５に対応して、通信部１６を介して、スタンプボタン選択領域３４０のスタンプボタンのタッチ入力情報を通信先の端末装置２０から受信したか否かに応じて、スタンプボタンが入力されたか否かを判別する（ステップＳ２６）。スタンプボタンのタッチ入力情報は、入力したスタンプボタンに対応するスタンプ番号を含む。
【００６２】
スタンプボタンが入力されていない場合（ステップＳ２６；ＮＯ）、ステップＳ２３に移行される。スタンプボタンが入力された場合（ステップＳ２６；ＹＥＳ）、ＣＰＵ１１は、図６の情報表示入力処理のステップＳ１２に対応して、ステップＳ２６で選択されたスタンプボタンのアクティブの表示情報を通信先の端末装置２０に送信し、選択スタンプボタンをアクティブ表示させる（ステップＳ２７）。
【００６３】
ステップＳ２７に対応して、端末装置２０のＣＰＵ２１は、図６のステップＳ１２，Ｓ１３で、選択スタンプボタンのアクティブの表示情報受信及び表示を行う。例えば、図８（ｂ）の業務連絡画面３００Ｂに示すように、スタンプボタン３４１がアクティブ表示される。そして、ステップＳ２７に対応して、端末装置２０のＣＰＵ２１は、図６のステップＳ１４，Ｓ１５で、操作部２２を介するカレンダー表示領域３３０のアクティブ表示中のスタンプの貼付先の日付の貼付先位置情報の入力、その入力情報のサーバ１０への送信を行う。
【００６４】
そして、ＣＰＵ１１は、通信部１６を介して、貼付先位置情報を通信先の端末装置２０から受信したか否かに応じて、スタンプ貼付入力をしたか否かを判別する（ステップＳ２８）。スタンプ貼付入力をしていない場合（ステップＳ２８；ＮＯ）、ステップＳ２３に移行される。
【００６５】
スタンプ貼付入力をした場合（ステップＳ２８；ＹＥＳ）、ＣＰＵ１１は、ステップＳ２８で受信した貼付先位置情報に基づいて、カレンダー上の貼付先日付情報を取得する（ステップＳ２９）。そして、ＣＰＵ１１は、計時部１７から現在日時情報を取得する（ステップＳ３０）。そして、ＣＰＵ１１は、ステップＳ２９で取得した貼付先日付情報が、ステップＳ３０で取得した現在日時情報の日付情報よりも前（過去）であるか否かを判別する（ステップＳ３１）。
【００６６】
貼付先日付情報が現在日時情報の日付情報よりも過去である場合（ステップＳ３１；ＹＥＳ）、ＣＰＵ１１は、スタンプが過去の日付に貼り付けられ、そのタスクの実施ができない旨のアラート情報を生成し、図６のステップＳ１２に対応して、通信部１６を介して、生成したアラート情報を通信先の端末装置２０に送信して表示させ（ステップＳ３２）、ステップＳ２８に移行する。ステップＳ３２に対応して、端末装置２０のＣＰＵ２１は、図６のステップＳ１２，Ｓ１３で、アラート情報の受信及び表示を行う。
【００６７】
貼付先日付情報が現在日時情報の日付情報よりも過去でない場合（ステップＳ３１；ＮＯ）、ＣＰＵ１１は、ステップＳ２６で入力されたスタンプボタンのタッチ入力情報のタスク番号に基づいて、貼り付けたスタンプに対応するタスクに関する情報の入力を受け付けるタスク入力領域情報を生成し、図６のステップＳ１２に対応して、通信部１６を介して、タスク入力領域情報を端末装置２０に送信して表示させる（ステップＳ３３）。
【００６８】
ステップＳ３３に対応して、端末装置２０のＣＰＵ２１は、図６のステップＳ１２，Ｓ１３で、タスク入力領域情報の受信及び表示を行う。ステップＳ３３では、例えば、図８（ｂ）の業務連絡画面３００Ｂに含まれるタスク入力領域３５０のタスク入力領域情報が生成される。タスク入力領域３５０は、メモ添付選択領域３５１、テキスト入力領域３５２、音声入力領域３５３、タスク表示選択領域３５４、送信ボタン３５５、キャンセルボタン３５６を有する。
【００６９】
メモ添付選択領域３５１は、貼り付けたスタンプに対応付けてメモ情報を添付するか否かの選択入力を受け付ける入力領域であり、例えば、ラジオボタンで構成される。テキストメモ入力領域３５２は、メモ添付選択領域３５１で添付するメモ情報のテキスト入力を受け付ける入力領域である。音声入力領域３５３は、メモ添付選択領域３５１で添付するメモ情報の音声入力を受け付ける入力領域であり、例えば、タッチ入力で音声入力を受け付ける。タスク表示選択領域３５４は、貼り付けたスタンプのタスクを他の従業員の業務連絡画面に表示させるか否かの選択入力を受け付ける入力領域であり、例えば、ラジオボタンで構成される。送信ボタン３５５は、タスク入力領域３５０での入力情報のサーバ１０への送信実行を受け付けるボタンである。キャンセルボタン３５６は、タスク入力領域３５０での入力情報のキャンセルを受け付けるボタンである。
【００７０】
そして、ステップＳ３３に対応して、端末装置２０のＣＰＵ２１は、図６のステップＳ１４，Ｓ１５で、操作部２２、音声入出力部２７を介するタスク入力領域３５０の入力情報の入力、その入力情報のサーバ１０への送信を行う。テキスト、音声のメモ情報は、例えば、テキストファイル、音声ファイルとして送信される。
【００７１】
そして、ＣＰＵ１１は、図６のステップＳ１５に対応して、通信部１６を介して、メモ情報等の入力情報を通信先の端末装置２０から受信し、メモ情報を受信したか否かを判別する（ステップＳ３４）。入力情報は、タスクの添付のメモ情報があるか否かの情報、そのテキストのメモ情報、音声のメモ情報、他の従業員へのタスク表示の有無の情報である。メモ情報を受信した場合（ステップＳ３４；ＹＥＳ）、ＣＰＵ１１は、ステップＳ３４で受信したテキスト、音声のメモ情報を、ステップＳ２６で入力されたスタンプボタンのタスクのタスク番号に対応する添付ファイルとして記憶部１５に記憶する（ステップＳ３５）。
【００７２】
メモ情報を受信していない場合（ステップＳ３４；ＮＯ）、又はステップＳ３５の後、ＣＰＵ１１は、記憶部１５に記憶されたスタンプデータテーブル３０、アカウントデータテーブル４０と、ステップＳ２６，Ｓ２９，Ｓ３０，Ｓ３４，Ｓ３８で入力されたタスクの各種情報とで、記憶部１５に記憶されたタスクデータテーブル５０を更新し（ステップＳ３６）、ステップＳ２２に移行する。
【００７３】
ここで、ステップＳ３６におけるスタンプ及びそのタスクを登録する場合のタスクデータテーブル５０の更新の例を説明する。例えば、ログインユーザが店長の山田次郎であり、ステップＳ２６で発注のスタンプボタンが選択され、ステップＳ２９で貼付け先日付情報が２０１６年２月８日であり、ステップＳ３０で得られた現在日時情報が２０１６年２月８日１８：３５であり、ステップＳ３４でテキストのメモ情報と他の従業員への表示をするとの情報が入力され、当該スタンプが登録されるものとする。
【００７４】
すると、ステップＳ３６において、図５（ｂ）のタスク番号５１が３のレコードが追加されて更新される。具体的には、タスク番号５１、個別／業務５２、登録者５３、重要度５４、登録日時５５、期限５６、完了／未完了５７、実施者５８、タスク完了日５９、メッセージ６０、業務の関連付け６１、添付ファイル６２、登録者以外表示６３、スタンプ番号６４に、順に、追加する３、個別ＴｏＤｏ、ログインユーザの山田次郎、店長に対応する重要度４６の２、ステップＳ２８で得られた２０１６年２月８日１８：３５、ステップＳ２９で得られた２０１６年２月８日、登録したばかりの未完了、実施者無し、タスク完了日無し、発注のスタンプのメッセージ３５「山田次郎（＝××）さんから…」、業務の関連付け無し、ステップＳ３５で得られたテキストのメモ情報のファイル名、ステップＳ３４で得られた登録者以外表示有、ステップＳ２６で得られた発注のスタンプ番号３１の１、を有するレコードがタスクデータテーブル５０に追加される。
【００７５】
例えば、発注のタスク登録後のステップＳ２２では、図８（ｃ）の業務連絡画面３００Ｃの業務連絡画面情報が生成される。業務連絡画面３００Ｃでは、カレンダー表示領域３３０の２０１６年２月８日の日付部に、今回登録された発注のスタンプ３３３と、スタンプ３３３よりも前に登録され且つ重要度が低い発注のスタンプ３３２と、が順に並べられて表示されている。
【００７６】
さらに、ステップＳ２２において、ＣＰＵ１１は、タスクデータテーブル５０を参照して、期限５６が現在日時情報に対応する本日が期限であって、且つ完了／未完了５７が未完了のレコードがある場合に、ＴｏＤｏボタンが振動する等の表示態様の業務連絡画面情報を生成して端末装置２０に送信して表示させるものとする。こうすることで、端末装置２０のユーザは、ＴｏＤｏボタンの振動の視認により、本日期限で未完了のタスクが存在することを認識できる。
【００７７】
ここでは、例えば、発注のスタンプ３３３のタスク登録後に、アルバイトの鈴木三郎が自身の端末装置２０を使用してステップＳ２１に対応してログインしたものとする。鈴木三郎の端末装置２０には、ステップＳ２２に対応して、ログインユーザ表示領域３１０に鈴木三郎が表示された業務連絡画面３００Ｃと同様の業務連絡画面が表示される。
【００７８】
ＴｏＤｏボタン３２０が入力された場合（ステップＳ２３；ＹＥＳ）、ＣＰＵ１１は、タスクデータテーブル５０を記憶部１５から読み出し、計時部１７から現在日時情報を取得し、タスクデータテーブル５０及び現在日時情報に基づいて、未完了のタスクの一覧情報を有するタスク一覧情報を生成し、図６のステップＳ１２に対応して、生成したタスク一覧情報を通信先の端末装置２０に送信して表示させる（ステップＳ３７）。
【００７９】
ステップＳ３７に対応して、端末装置２０のＣＰＵ２１は、図６のステップＳ１２，Ｓ１３で、タスク一覧情報の受信及び表示を行う。ステップＳ３７では、例えば、図９（ａ）の業務連絡画面３００Ｄに含まれるタスク一覧表示領域３６０のタスク一覧情報が表示される。タスク一覧表示領域３６０は、本日が期限で、登録者以外表示有で、又は無しで且つ登録者がログインユーザである未完了のタスクごとのタスク情報表示領域３６０ａ，３６０ｂを有する。タスク情報表示領域３６０ａ，３６０ｂは、それぞれ、発注のスタンプ３３３，３３２のタスクに対応する。また、タスク情報表示領域３６０ａ，３６０ｂは、それぞれ、スタンプ表示領域３６１、メッセージ表示領域３６２、メモ情報表示領域３６３、完了ボタン３６４を有する。タスク情報表示領域３６０ａ，３６０ｂの並び順は、タスクの重要度５４の高い方からの降順である。
【００８０】
スタンプ表示領域３６１は、現在日時情報の日付がタスクデータテーブル５０の期限５６であり、登録者以外表示６３が有、又は無しで且つ登録者５３がログインユーザであり、完了／未完了５７が未完了のタスクのレコードのスタンプ番号６４に対応するスタンプイメージ３３の表示領域である。メッセージ表示領域３６２は、スタンプ表示領域３６１のタスクのメッセージ６０の表示領域である。メモ情報表示領域３６３は、スタンプ表示領域３６１のタスクの添付ファイル６２の表示領域である。
【００８１】
メモ情報表示領域３６３は、スタンプ表示領域３６１のタスクのレコードの添付ファイル６２のメモ情報がテキストファイルである場合にテキストが表示され、メモ情報が音声である場合に、音声出力ボタンが表示され、そのタッチ入力により、添付ファイル６２の音声ファイルを音声入出力部２７から音声出力する。完了ボタン３６４は、スタンプ表示領域３６１のタスクについて、ログインユーザによるタスクの実施完了後に、操作部２２を介して、そのタスクの完了の旨のタッチ入力を受け付けるボタンである。
【００８２】
そして、ステップＳ３７に対応して、端末装置２０のＣＰＵ２１は、図６のステップＳ１４，Ｓ１５で、操作部２２を介するタスク一覧表示領域３６０の完了ボタン３６４のタッチ入力を受け付け、その入力に応じたタスク完了情報のサーバ１０への送信を行う。ここでは、例えば、タスク情報表示領域３６０ａのタスクの完了ボタン３６４が、そのタスクを実施完了した鈴木三郎によりタッチ入力され、そのタスク完了情報がサーバ１０に送信されたものとする。
【００８３】
そして、ＣＰＵ１１は、図６のステップＳ１５に対応して、通信部１６を介して、タスク完了情報を通信先の端末装置２０から受信したか否かを判別する（ステップＳ３８）。タスク完了情報を受信していない場合（ステップＳ３８；ＮＯ）、ステップＳ２２に移行される。タスク完了情報を受信した場合（ステップＳ３８；ＹＥＳ）、ステップＳ３６に移行される。
【００８４】
ここで、ステップＳ３６におけるタスクを完了した場合のタスクデータテーブル５０の更新の例を説明する。例えば、ログインユーザがアルバイトの鈴木三郎であり、タスク情報表示領域３６０ａのタスクの完了ボタン３６４がタッチ入力され、タスク完了情報に、スタンプ３３３の発注のタスクのタスク番号と、完了の旨の情報とが含まれる。すると、ステップＳ３６において、図５（ｂ）のタスク番号５１が３のレコードの完了／未完了５７が完了に更新され、実施者５８がログインユーザの氏名４２（鈴木三郎）に更新され、タスク完了日５９が現在日時情報の日付情報に更新される。
【００８５】
そして、例えば、スタンプ３３３の発注のタスクの完了入力後、再び、店長の山田次郎が自身の端末装置２０を使用してステップＳ２１に対応してログインしたものとする。山田次郎の端末装置２０には、ステップＳ２２に対応して、図９（ｂ）に示す業務連絡画面３００Ｅが表示される。業務連絡画面３００Ｅでは、カレンダー表示領域３３０において、スタンプ３３３が、スタンプ３３１と同様に完了の色（例えば、基本の表示色から薄くした表示色）に表示されている。
【００８６】
以上、本実施の形態によれば、サーバ１０は、複数の日付が設けられたカレンダー表示領域を有する業務連絡画面情報を端末装置２０に送信して表示させ、複数のスタンプ（スタンプボタン）からユーザ操作に応じて所定のスタンプを選択し、選択されたスタンプが配置される日付をユーザ操作に応じて複数の日付から選択し、選択された日付に、選択されたスタンプが配置されたカレンダー表示領域を端末装置２０に送信して表示させる。
【００８７】
このため、実施するべきタスクの内容とそのタスクの実施期限を容易に入力及び把握できるとともに、実施期限までにタスクが確実に実施されるよう支援できる。より具体的には、スタンプの入力により、タスクの内容の入力を素早く短時間で行うことができ、文字の入力の必要性も極めて抑えられるため、スマートフォン等の携帯の端末装置２０でもタスク情報の入力を容易にできる。これにより、素早い入力による時間と携帯の端末装置２０での入力による場所との制約を少なくできる。また、タスクのスタンプをカレンダー上の日付に表示でき、端末装置２０において、スタンプによりタスクの情報を日付毎に明確にまとめて表示できる。
【００８８】
また、サーバ１０は、選択されたスタンプのスタンプ番号と選択された日付とをタスク番号に対応付けたタスクデータテーブル５０を記憶部１５に記憶する。このため、スタンプによりタスクの内容及び実施期限を容易に登録できる。
【００８９】
また、サーバ１０は、選択されたスタンプのタスクの内容を示す付加情報としてのメモ情報を端末装置２０から受信し、受信されたメモ情報を、選択されたスタンプのタスクのタスク番号に対応付けて記憶部１５に記憶し、記憶されたタスクデータテーブル５０に基づいて、スタンプに対応するメモ情報を端末装置２０に送信して表示させる。このため、メモ情報により、スタンプのみで表現されないタスクの内容情報を記憶できるとともに明確に表示できる。
【００９０】
また、サーバ１０は、複数の日付が設けられたカレンダー表示領域を有する業務連絡画面情報を端末装置２０に表示させるとともに、日付の何れかにスタンプを配置して表示させ、表示されているカレンダー表示領域における複数の日付のうち現在日時にスタンプが配置されて表示されていた場合に、該スタンプに対応するメッセージ情報をユーザ操作（ＴｏＤｏボタンタッチ入力）に応じて端末装置２０に送信して表示させる。このため、実施するべきタスクの内容とそのタスクの実施期限を容易に入力及び把握できるとともに、実施期限までにタスクが確実に実施されるよう支援できる。
【００９１】
また、サーバ１０は、現在日時に対応する日付のスタンプに対応するメッセージ情報を記憶部１５のスタンプデータテーブル３０から読み出して端末装置２０に送信して表示させる。このため、現在日時に対応する日付のスタンプに対応するメッセージ情報を容易に表示できる。
【００９２】
また、サーバ１０は、端末装置２０に表示されたスタンプの未完了のタスクのうち、実施が完了されたタスクが入力されたタスク完了情報を端末装置２０から受信し、受信されたタスク完了情報に基づいて、完了されたタスクの完了／未完了５７を完了に設定する。このため、実施で完了したタスクを容易に完了に設定できる。
【００９３】
以上の説明では、本発明に係るプログラムのコンピュータ読み取り可能な媒体として記憶部１５のＨＤＤ、ＳＳＤを使用した例を開示したが、この例に限定されない。その他のコンピュータ読み取り可能な媒体として、フラッシュメモリや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００９４】
なお、上記実施の形態における記述は、本発明に係るタスク管理装置及びプログラムの一例であり、これに限定されるものではない。
【００９５】
例えば、上記実施の形態では、ＴｏＤｏボタンのタッチ入力後に、タスク一覧情報に表示された、期限が当日で未完了のタスクのタスク完了情報を入力する構成としたが、これに限定されるものではない。タスク一覧情報に、期限が当日又は当日よりも先のタスクの情報を含め、期限が当日又は当日よりも先の未完了のタスクのタスク完了情報を入力可能な構成としてもよい。また、スタンプを入力した場合に表示されるタスクの詳細情報に完了ボタンが含まれ、当該完了ボタンのタッチ入力により、当該タスクのタスク完了情報が入力される構成としてもよい。
【００９６】
また、上記実施の形態では、ユーザがメモ情報を一から入力する構成としているが、これに限定されるものではない。例えば、サーバ１０のＣＰＵ１１は、端末装置２０でユーザが入力したメモ情報を履歴情報として記憶部１５に記憶し、ユーザがメモ情報を入力する際に、メモ情報の履歴情報を記憶部１５から読み出して、通信先の端末装置２０に送信して表示させる構成としてもよい。ユーザは、端末装置２０の表示部２４に表示された履歴情報の１つを選択して新たなメモ情報として入力する。この構成によれば、同じ又は同様の内容のタスクのメモ情報の入力の作業負担を低減できる。また、あるスタンプ番号のタスクのメモ情報を入力する場合に、同じスタンプ番号のメモ情報の履歴情報を表示、選択入力できる構成としてもよい。
【００９７】
また、上記実施の形態では、タスク管理システム１を飲食業（レストラン）に適用した例を説明したが、これに限定されるものではなく、タスク管理システム１を他業種に適用できる。タスク管理システム１のスタンプを用いた入力により、素早い入力による時間と携帯端末での入力による場所との制約を少なくできるため、業種に合ったスタンプを用意することで、様々な業種での活用が実現できる。
【００９８】
また、上記実施の形態では、業務連絡画面情報のタスクボタン選択領域３４０からスタンプボタンを選択して、スタンプボタンを表示する構成としたが、これに限定されるものではない。タスクボタン選択領域３４０に所望のスタンプのスタンプボタンがない場合に、新規のスタンプを入力して生成し、スタンプデータテーブル３０に新規登録する構成としてもよい。業務連絡処理において、端末装置２０のＣＰＵ２１は、例えば、操作部２２を介して、ユーザからの円に所望の新たな文字を含めた囲い文字のスタンプのスタンプイメージ、タスク内容、メッセージ、表示色等のスタンプ設定情報の入力を受け付けて、無線通信部２６を介して、スタンプ設定情報をサーバ１０に送信する。サーバ１０のＣＰＵ１１は、端末装置２０から受信したスタンプ設定情報に基づいて、スタンプデータテーブル３０に新たなスタンプのレコードを追加し、ステップＳ２２に移行する。
【００９９】
また、上記実施の形態では、タスクの実施者を登録者が指定しない構成であったが、これに限定されるものではない。タスクの実施者を登録者が指定可能な構成としてもよい。
【０１００】
また、上記実施の形態では、タスクの期限を、その期限日までに実施をするべき日付とする構成としたが、これに限定されるものではない。タスクの期限を、その期限日中に実施をするべき日付としてもよい。また、これら２種類の期限に応じて、タスクのスタンプの表示態様（例えば、表示色）を別にする構成としてもよい。
【０１０１】
また、上記実施の形態では、図８（ａ）の業務連絡画面３００Ａ等のカレンダー表示領域３３０が、スケジュール枠としての日付が設けられたスケジュールテンプレートとしてのカレンダー情報の表示領域である構成としたが、これに限定されるものではない。図１０に示すような業務連絡画面３００Ｆを端末装置２０に表示する構成としてもよい。図１０は、業務連絡画面３００Ｆを示す図である。
【０１０２】
業務連絡画面３００Ｆは、カレンダー表示領域３３０Ｆを有する。カレンダー表示領域３３０Ｆは、スケジュール枠としての日付毎の時間帯が設けられたスケジュールテンプレートとしてのカレンダー情報の表示領域である。このように、スケジュールテンプレートとしてのカレンダー情報が、日付毎の午前、午後、週、月等、他のスケジュール枠が設定されたものとしてもよい。
【０１０３】
また、上記実施の形態におけるタスク管理システム１の各構成要素の細部構成及び細部動作に関しては、本発明の趣旨を逸脱することのない範囲で適宜変更可能であることは勿論である。
【０１０４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
それぞれに所定の日付情報または時間帯情報が対応付けられた複数のスケジュール枠が設けられたスケジュールテンプレートを表示させる表示制御手段と、
互いに異なるタスク種別を示すとともに互いに異なるメッセージ情報が対応付けられた複数のスタンプマークからユーザ操作に応じて所定のスタンプマークを選択する第１の選択手段と、
前記第１の選択手段により選択されたスタンプマークが配置されるスケジュール枠をユーザ操作に応じて前記複数のスケジュール枠から選択する第２の選択手段と、を備え、
前記表示制御手段は、前記第２の選択手段により選択されたスケジュール枠に前記第１の選択手段により選択されたスタンプマークが配置された前記スケジュールテンプレートを表示させることを特徴とするタスク管理装置。
＜請求項２＞
前記第１の選択手段により選択されたスタンプマークの識別情報と前記第２の選択手段により選択されたスケジュール枠とをタスクの識別情報に対応付けたタスク登録情報を記憶手段に記憶する登録手段を備えることを特徴とする請求項１に記載のタスク管理装置。
＜請求項３＞
前記第１の選択手段により選択されたスタンプマークのタスクの内容を示す付加情報の入力を受け付ける第１の入力手段を備え、
前記登録手段は、前記第１の入力手段により入力された付加情報を前記第１の選択手段により選択されたスタンプマークのタスクの識別情報に対応付けて前記記憶手段に記憶し、
前記表示制御手段は、前記記憶されたタスク登録情報に基づいて、スタンプマークに対応する前記付加情報を表示させることを特徴とする請求項２に記載のタスク管理装置。
＜請求項４＞
それぞれに所定の日付情報または時間帯情報が対応付けられた複数のスケジュール枠が設けられたスケジュールテンプレートを表示させるとともに、前記スケジュール枠の何れかにタスク種別を示すスタンプマークを配置して表示させる第１の表示制御手段と、
前記第１の表示制御手段により表示されている前記スケジュールテンプレートにおける前記複数のスケジュール枠のうち現在の日付または時間帯に対応するスケジュール枠に前記スタンプマークが配置されて表示されていた場合に、該スタンプマークに対応するメッセージ情報をユーザ操作に応じて表示させる第２の表示制御手段と、を備えたことを特徴とするタスク管理装置。
＜請求項５＞
前記第２の表示制御手段は、タスクのスタンプマークの識別情報に対応付けられたメッセージ情報を記憶する記憶手段から、前記現在の日付または時間帯に対応するスケジュール枠のスタンプマークに対応するメッセージ情報を読み出して表示させることを特徴とする請求項４に記載のタスク管理装置。
＜請求項６＞
前記表示されたスタンプマークの未完了のタスクのうち、実施が完了されたタスクを示すタスク完了情報の入力を受け付ける第２の入力手段を備え、
前記入力されたタスク完了情報に基づいて、前記完了されたタスクを完了に設定する完了設定手段を備えることを特徴とする請求項１から５のいずれか一項に記載のタスク管理装置。
＜請求項７＞
コンピュータを、
それぞれに所定の日付情報または時間帯情報が対応付けられた複数のスケジュール枠が設けられたスケジュールテンプレートを表示させる表示制御手段、
互いに異なるタスク種別を示すとともに互いに異なるメッセージ情報が対応付けられた複数のスタンプマークからユーザ操作に応じて所定のスタンプマークを選択する第１の選択手段、
前記第１の選択手段により選択されたスタンプマークが配置されるスケジュール枠をユーザ操作に応じて前記複数のスケジュール枠から選択する第２の選択手段、として機能させ、
前記表示制御手段は、前記第２の選択手段により選択されたスケジュール枠に前記第１の選択手段により選択されたスタンプマークが配置された前記スケジュールテンプレートを表示させることを特徴とするプログラム。
＜請求項８＞
コンピュータを、
それぞれに所定の日付情報または時間帯情報が対応付けられた複数のスケジュール枠が設けられたスケジュールテンプレートを表示させるとともに、前記スケジュール枠の何れかにタスク種別を示すスタンプマークを配置して表示させる第１の表示制御手段、
前記第１の表示制御手段により表示されている前記スケジュールテンプレートにおける前記複数のスケジュール枠のうち現在の日付または時間帯に対応するスケジュール枠に前記スタンプマークが配置されて表示されていた場合に、該スタンプマークに対応するメッセージ情報をユーザ操作に応じて表示させる第２の表示制御手段、として機能させるためのプログラム。
【符号の説明】
【０１０５】
１  タスク管理システム
１０  サーバ
１１  ＣＰＵ
１２  操作部
１３  ＲＡＭ
１４  表示部
１５  記憶部
１６  通信部
１７  計時部
１８  バス
２０  端末装置
２１  ＣＰＵ
２２  操作部
２３  ＲＡＭ
２４  表示部
２５  記憶部
２６  無線通信部
２７  音声入出力部
２８  バス
Ｎ  通信ネットワーク
【図１】
0006508101.tif 000002
【図２】
0006508101.tif 000003
【図３】
0006508101.tif 000004
【図４】
0006508101.tif 000005
【図５】
0006508101.tif 000006
【図６】
0006508101.tif 000007
【図７】
0006508101.tif 000008
【図８】
0006508101.tif 000009
【図９】
0006508101.tif 000010
【図１０】
0006508101.tif 000011